(57)【要約】      （修正有）【課題】既設管の内面に長尺な帯状体を螺旋状に巻きつけつつ、その隣接部分を結合することにより螺旋管を作成するとともに、この螺旋管と既設管との間に裏込め材を注入して既設管を更生する方法において、仮に螺旋管内を流通する水が帯状体の隣接部分の嵌め合い部分に浸入したとしても、この水が螺旋管の外径側に漏洩することを防止する。【解決手段】既設管の内面に帯状体５１を螺旋状に巻きつける過程で、帯状体５１の外面の幅方向一側に設けられる突条部と、帯状体５１において巻きつけ方向で隣り合う領域の外面の幅方向他側に設けられる溝状部とを嵌め合わせることにより帯状体５１の隣接部分を結合する。螺旋管５の巻き始め側および巻き終わり側における前記嵌め合い部分に、その厚み方向に貫通する孔を設け、この孔にシール材を充填することにより水の堰き止め部を設ける。【選択図】図１０
2014015946.tif 000002
【特許請求の範囲】
【請求項１】
既設管の内面に長尺な帯状体を螺旋状に巻きつけつつ、その隣接部分を結合することにより螺旋管を作成するとともに、この螺旋管と既設管との間に裏込め材を注入して既設管を更生する方法であって、
前記帯状体を螺旋状に巻きつける過程で、前記帯状体の外面の幅方向一側に設けられる突条部と、前記帯状体において巻きつけ方向で隣り合う領域の外面の幅方向他側に設けられる溝状部とを嵌め合わせることにより前記帯状体の隣接部分を結合し、
前記螺旋管の巻き始め側および巻き終わり側における前記嵌め合い部分に、その厚み方向に貫通する孔を設け、この孔にシール材を充填することにより水の堰き止め部を設ける、ことを特徴とする既設管の更生方法。
【請求項２】
請求項１に記載の既設管の更生方法において、
前記螺旋管は、前記帯状体を長手方向に継ぎ足して作成されるものとされ、
先設置の帯状体の巻き終わり側と後設置の帯状体の巻き始め側とにおける前記嵌め合い部分に、その厚み方向に貫通する孔を設け、この孔にシール材を充填することにより水の堰き止め部を設ける、ことを特徴とする既設管の更生方法。
【請求項３】
請求項１または２に記載の既設管の更生方法において、
前記裏込め材の注入処理は、前記既設管の内面に前記帯状体を螺旋状に巻きつけつつ前記突条部と前記溝状部とを嵌め合わせる製管処理と並行して行う、ことを特徴とする既設管の更生方法。
【請求項４】
請求項１から３のいずれか１項に記載の既設管の更生方法において、
前記使用する帯状体において前記溝状部よりも幅方向外側領域が、斜め外向きの傾斜部とされ、
前記帯状体において前記突条部よりも幅方向内側領域には、当該突条部と前記溝状部との嵌め合わせ後に前記傾斜部と協同して密封部を作るためのリブが設けられている、ことを特徴とする既設管の更生方法。
【発明の詳細な説明】
【技術分野】
【０００１】
本発明は、地中に埋設される管渠（農業用水管、下水道管、上水道管、ガス管などの既設管）の内面に長尺な帯状体を螺旋状に巻きつけつつ、その隣接部分を結合することにより螺旋管を作成するとともに、この螺旋管と既設管との間に裏込め材を注入して既設管を更生する方法に関する。
【背景技術】
【０００２】
農業用水管、下水道管、上水道管などの既設管においては、ひび割れや腐食などにより既設管が老朽化した際の対策として、既設管の内面を合成樹脂などの長尺な帯状体でライニングすることによって、前記既設管を更生する方法が知られている。
【０００３】
例えば特許文献１には、既設管の内周面に沿って長尺な帯状体を螺旋状に巻きつけながら、その隣接部分を結合することにより、既設管の内側に螺旋管（更生管またはライニング管などとも言う）を形成する方法が記載されている。
【０００４】
前記螺旋状の帯状体の隣接部分を結合する形態としては、帯状体の幅方向一側に突条部を設け、幅方向他側に溝状部を設け、この突条部と溝状部とを嵌め合わせるようにしている。この嵌め合い部には、ゴム材などからなるシールを介装することにより、螺旋管の内側から外側またはその反対向きの水漏れを防止するように対策している。
【先行技術文献】
【特許文献】
【０００５】
【特許文献１】特許第３１９９４９２号公報
【発明の概要】
【発明が解決しようとする課題】
【０００６】
上記特許文献１に係る従来例では、次のような不具合が懸念される。
【０００７】
例えば前記螺旋管の内水が前記嵌め合い部分に浸入するようなことがあると、この嵌め合い部分に浸入した水が、当該嵌め合い部分を伝って長手方向（螺旋方向）に移動することにより、前記螺旋管の巻き始め側（先端側）または巻き終わり側（後端側）に到達し、この端部から前記螺旋管の外径側に漏洩するおそれがある。
【０００８】
この他、例えば帯状体を螺旋状にライニングする過程で、帯状体の長さが不足すると、新たな帯状体を継ぎ足す必要があるが、その場合、先設置の帯状体の後端と後設置の帯状体の先端とを接続するとともに、その継ぎ目に内側から保護シートを貼着するか、あるいはシール材料を塗布するなどといった密封処理を施す必要がある。
【０００９】
ところが、このような密封処理を施したとしても、例えば前記螺旋管の内水が前記螺旋状の帯状体の隣接部分を結合するための嵌め合い部分に浸入するようなことがあると、この嵌め合い部に浸入した水が、当該嵌め合い部分を伝って長手方向（螺旋方向）に移動することにより、前記継ぎ目に到達し、この継ぎ目から前記螺旋管の外径側に漏洩するおそれがある。
【００１０】
このような事情に鑑み、本発明は、既設管の内面に長尺な帯状体を螺旋状に巻きつけつつ、その隣接部分を結合することにより螺旋管を作成するとともに、この螺旋管と既設管との間に裏込め材を注入して既設管を更生する方法において、仮に前記螺旋管の内部を流通する水が前記螺旋状に巻きつけられる帯状体の隣接部分の嵌め合い部分に浸入したとしても、この水が螺旋管の外径側に漏洩することを防止することを目的としている。
【課題を解決するための手段】
【００１１】
本発明は、既設管の内面に長尺な帯状体を螺旋状に巻きつけつつ、その隣接部分を結合することにより螺旋管を作成するとともに、この螺旋管と既設管との間に裏込め材を注入して既設管を更生する方法であって、前記帯状体を螺旋状に巻きつける過程で、前記帯状体の外面の幅方向一側に設けられる突条部と、前記帯状体において巻きつけ方向で隣り合う領域の外面の幅方向他側に設けられる溝状部とを嵌め合わせることにより前記帯状体の隣接部分を結合し、前記螺旋管の巻き始め側および巻き終わり側における前記嵌め合い部分に、その厚み方向に貫通する孔を設け、この孔にシール材を充填することにより水の堰き止め部を設ける、ことを特徴としている。
【００１２】
この構成によれば、既設管を更生した後、仮に前記螺旋管の内部を流通する水が前記嵌め合い部分に浸入したとしても、この嵌め合い部分に浸入した水が、前記螺旋管の前記巻き始め側と前記巻き終わり側との手前で堰き止め部に堰き止められることになる。これにより、前記嵌め合い分に浸入した水が、前記巻き始め側と前記巻き終わり側から螺旋管の外径側に漏洩することを防止できるようになる。
【００１３】
好ましくは、前記更生方法において、前記螺旋管は、前記帯状体を長手方向に継ぎ足して作成されるものとされ、先設置の帯状体の巻き終わり側と後設置の帯状体の巻き始め側とにおける前記嵌め合い部分に、その厚み方向に貫通する孔を設け、この孔にシール材を充填することにより水の堰き止め部を設ける、ことが可能である。
【００１４】
この構成によれば、既設管を更生した後、仮に前記螺旋管の内部を流通する水が前記嵌め合い部分に浸入したとしても、この水が、先設置の帯状体の巻き始め側（先端側）と後設置の帯状体の巻き終わり側（後端側）との手前の堰き止め部で堰き止められることになるとともに、先設置の帯状体の巻き終わり側（継ぎ目側）と後設置の帯状体の巻き始め側（継ぎ目側）との手前の堰き止め部で堰き止められることになる。これにより、前記嵌め合い部分に浸入した水が、螺旋管の端部や継ぎ目から螺旋管の外径側に漏洩することを防止できるようになる。
【００１５】
好ましくは、前記更生方法において、前記裏込め材の注入処理は、前記既設管の内面に前記帯状体を螺旋状に巻きつけつつ前記突条部と前記溝状部とを嵌め合わせる製管処理と並行して行う、ことが可能である。
【００１６】
ここでは、いわゆる製管同時裏込め方式のＳＰＲ方法と呼ばれる更生方法を採用している。これにより、製管後に裏込め材を注入する方法に比べると、施工効率が優れる。
【００１７】
好ましくは、前記更生方法において、前記使用する帯状体において前記溝状部よりも幅方向外側領域が、斜め外向きの傾斜部とされ、前記帯状体において前記突条部よりも幅方向内側領域には、当該突条部と前記溝状部との嵌め合わせ後に前記傾斜部と協同して密封部を作るためのリブが設けられている、ことが好ましい。
【００１８】
なお、前記「斜め外向き」とは、前記作成される螺旋管において径方向に対して斜めでかつ外径側に向いているという意味である。
【００１９】
この構成によれば、前記既設管を更生した後、仮に前記螺旋管の内部を流通する水が前記嵌め合い部分に浸入したとしても、この水が、即座に前記螺旋管の外径側へ漏洩することが防止される。但し、前記嵌め合い部分に浸入した水は、当該嵌め合い部分を伝って移動することがあるものの、前記しているように堰き止め部により前記螺旋管の端部や継ぎ目から当該螺旋管の外径側に漏洩することを防止できるようになる。
【発明の効果】
【００２０】
本発明に係る既設管の更生方法によれば、前記既設管を更生した後、仮に前記螺旋管の内部を流通する水が前記螺旋状に巻きつけられる帯状体の隣接部分の嵌め合い部分に浸入したとしても、この水が螺旋管の外径側に漏洩することを防止できるようになる。
【図面の簡単な説明】
【００２１】
【図１】本発明に係る既設管の更生方法の一実施形態で、作業の様子を示す説明図である。
【図２】製管同時裏込め方法による既設管の更生方法の説明図であり、製管機を正面より見た図である。
【図３】製管同時裏込め方法による既設管の更生方法の説明図であり、製管機部分を示す一部破断した状態の斜視図である。
【図４】図１の（４）−（４）線断面の矢視図である。
【図５】図１の帯状体を螺旋状に巻きつけて螺旋管を作成する様子を簡単に示す斜視図である。
【図６】図１の帯状体において幅方向一側に設けられる雄型リブと幅方向他側に設けられる雌型リブとを分離した状態を示す断面図である。
【図７】図６の雄型リブと雌型リブとを嵌め合わせた状態を示す断面図である。
【図８】既設管に設置した螺旋管の巻き終わり側のオーバーラッピングの形態を説明するための断面図である。
【図９】図８において二点鎖線の円で囲む領域の拡大図で、堰き止め部の設置場所を示している。
【図１０】単一の帯状体で螺旋管を作成する場合において堰き止め部の設置場所を説明するための斜視図である。
【図１１】図７において雄型リブと雌型リブとの嵌め合い部分を拡大して示す図であり、堰き止め部を設ける領域を示している。
【図１２】２つの帯状体を継ぎ足して螺旋管を作成する場合において堰き止め部の設置場所を説明するための斜視図である。
【発明を実施するための形態】
【００２２】
以下、本発明を実施するための最良の実施形態について添付図面を参照して詳細に説明する。
【００２３】
図１から図１２を参照して、本発明の実施の形態に係る既設管の更生方法の一実施形態を説明する。
【００２４】
図１において、１は土壌であり、この土壌１の内部には、既設管２が地表面と略平行に埋設されており、この土壌１の地表面から鉛直方向下向きに伸びて既設管２に連通連結される立坑３，４が設けられている。
【００２５】
既設管２が例えば老朽化あるいは亀裂等の破損が発生した場合に、強度復元、流下性能向上、耐摩耗性向上を図るために、既設管２を更生する。既設管２は、例えば断面形状が円形、矩形、馬蹄形等いろいろあるが、この実施形態では円形としている。
【００２６】
次に、既設管２の更生方法を詳細に説明する。この実施形態では、製管同時裏込め方式のＳＰＲ方法を採用している。
【００２７】
この製管同時裏込め方式のＳＰＲ方法では、要するに、後述する製管機２０を用いて、図５に示すように、既設管２の内面に可撓性を有する長尺な帯状体（プロファイル）５１を螺旋状に巻きつけるとともに、当該巻きつけ部分の幅方向両側を互いに結合することにより螺旋管（更生管）５を作成しつつ、この螺旋管５と既設管２との間の隙間６にモルタル等の裏込め材７を注入充填し、裏込め材７を一定の養生期間を経て硬化させることにより既設管２と螺旋管５とを一体化する。
【００２８】
ここでは、帯状体５１は、例えば硬質塩化ビニル、ポリエチレン、ポリプロピレン等の合成樹脂とされる。裏込め材７は、モルタル等とされ、その注入時には、高粘度な状態となるように適宜の水セメント比に設定される。
【００２９】
この帯状体５１の片面の幅方向数ヶ所には、図６および図７に示すように、リブ５２，５３，５４が長手方向に沿って設けられている。これらのリブ５２〜５４のうち、幅方向一側のリブ５２と幅方向他側のリブ５３とが前記螺旋巻きつけ時の結合に用いられるので、それぞれ「雄型リブ」と「雌型リブ」と言うことにする。
【００３０】
具体的に、幅方向一側に位置する雄型リブ５２の先端には、断面ほぼ円形状の幅広部５２ａが設けられている。この雄型リブ５２が請求項に記載している突条部に相当するものである。
【００３１】
幅方向他側に位置する雌型リブ５３の先端は、帯状体５１側へ向けて開くような溝状に形成されていて、この溝状部５３ａの開口は幅狭に絞られている。この溝状部５３ａに雄型リブ５２が圧入により嵌合されるようになっている。幅方向中間に存在する複数のリブ５４の先端は、断面略Ｔ字形状に形成されている。
【００３２】
また、幅方向他側に位置する雌型リブ５３の幅方向外側領域は、斜め外向きの傾斜部５５とされている。この傾斜部５５の先端は、例えば図７に示すように、雄型リブ５２を隣接する帯状体５１の雌型リブ５３の溝状部５３ａに例えば圧入により嵌め合わせたときに、この雌型リブ５３の隣に位置する略Ｔ字状のリブ５４において帯状体５１の厚み方向に沿う立ち上がり部と帯状体５１の幅方向に沿うフランジとで作る内角に突っ張るような状態で引っ掛けられるようになっている。
【００３３】
さらに、例えば図７に示すように、雄型リブ５２を隣接する帯状体５１の雌型リブ５３の溝状部５３ａに嵌め合わせたときに、雌型リブ５３から傾斜部５５までの平坦部と雄型リブ５２から隣に位置する略Ｔ字状のリブ５４までの平坦部との間には、滑りを防止するとともに水などの浸入を防止するためのシール８が介装されている。
【００３４】
このシール８は、例えばゴム、エラストマー等の弾性材料で形成されており、例えば帯状体５に貼着されている。この実施形態では、前記傾斜部５５の突っ張り反力によってシール８がそれの非接着側の平坦部に対する接触状態が圧接とされるようになっている。なお、シール８は、別体として前記両平坦部の間に挟むようにして取り付けることも可能である。
【００３５】
この実施形態の更生方法では、図１に示すように、製管機２０、プロファイルドラム３０、モルタル供給機４０を用いるので、これらを簡単に説明する。
【００３６】
製管機２０は、既設管２の内面に帯状体５１を螺旋状に巻きつけつつその幅方向両側を結合して螺旋管５を作成するとともに、既設管２と螺旋管５との間の隙間６にモルタル等の裏込め材７を注入充填することが可能に構成される。
【００３７】
この製管機２０は、図２および図３に示すように、円形断面の螺旋管５の施工に用いる自走式の製管機であって、成形フレーム２１、接合機構部２２などを備えている。この接合機構部２２は、成形フレーム２１に設置されており、帯状体５１を外面と内面の両方から挟み込むための外面ローラ２３、内面ローラ２４などを備えている。
【００３８】
外面ローラ２３と内面ローラ２４の回転により、製管機２０の全体が既設管２内を周回移動し、既設管２の内周に帯状体５１を螺旋状に巻回しながら進行するとともに、その進行過程において互いに隣接する帯状体５１の雄型リブ５２と雌型リブ５３とを嵌め合せることができる。
【００３９】
なお、内面ローラ２４は、図１に示す油圧ユニット２５から供給される油圧によって駆動される。この油圧ユニット２５は、図１に示す発電機２６から供給される電力によって駆動される。
【００４０】
プロファイルドラム３０は、帯状体５１（プロファイル）が巻回されており、中心側から取り出される中出し式タイプになっている。外出しタイプであってもかまわない。このプロファイルドラム３０は、螺旋管成形方向の発進側の立坑３近傍に配置されている。
【００４１】
モルタル供給機４０は、図２に示すように、モルタルを一定量ずつ押し出すものであり、その押し出し量は任意に調整できるようになっている。このモルタル供給機４０は、台車２７上に搭載されており、製管機２０の注入ノズル２８にホース２９を介して接続されている。
【００４２】
台車２７は、図１の矢印で示すように、製管機２０と共に既設管２内を螺旋管成形方向に移動される。但し、地上に固定配置されるものであってもよい。
【００４３】
なお、上記実施形態では、プロファイルドラム３０、発電機２６を地上に配置しているが、図示していないが、既設管２内に台車上等に搭載して製管機２０と共に移動できるようにしてもよい。
【００４４】
このような製管同時裏込め方式のＳＰＲ方法で螺旋管５を設置した後、帯状体５１の巻き始め側と巻き終わり側とについては、例えば図８および図９に示すように、作成した螺旋管５の内側から保護シート９を貼着（オーバーラッピング）することにより密封処理を施すようにしている。なお、図８には、巻き終わり側のみを示している。
【００４５】
ところが、仮に、設置した螺旋管５の内部の水が前記隣り合う帯状体５１の幅方向両側の嵌め合い部分に浸入するようなことがあると、この嵌め合い部分に浸入した水は、シール８および傾斜部５５による密封作用により螺旋管５の外径側へは即座に漏洩しないものの、当該嵌め合い部分を伝って長手方向（螺旋方向）に移動することにより螺旋管５の巻き始め側や巻き終わり側に到達することがある。
【００４６】
この巻き始め側や巻き終わり側には、前記したような保護シート９による密封処理を施しているものの、当該巻き始め側や巻き終わり側に水が到達すると、当該水が前記巻き始め側や巻き終わり側から螺旋管５の外径側に漏洩するおそれがある。
【００４７】
この他、螺旋管５を作成する際に帯状体５１を長手方向で継ぎ足すことがあるが、そのような場合、図示していないが、先設置の帯状体５１の巻き終わり側と後設置の帯状体５１の巻き始め側とを接続するとともに、その継ぎ目に作成した螺旋管５の内径側から前記したような保護シート（９）を貼着（オーバーラッピング）するか、あるいはシール材料を塗布することにより密封処理を施すようにする。また、図示していないが、先設置の帯状体５１の巻き始め側と後設置の帯状体５１の巻き終わり側についても、設置した螺旋管５の内径側から前記したような保護シート（９）を貼着（オーバーラッピング）することにより密封処理を施すようにする。
【００４８】
ところが、このような密封処理を施したとしても、例えば既設管２を更生した後、仮に螺旋管５の内部を通る水が前記隣り合う帯状体５１の幅方向両側の嵌め合い部分に浸入するようなことがあると、この嵌め合い部分に浸入した水は、シール８および傾斜部５５による密封作用により螺旋管５の外径側へは即座に漏洩しないものの、当該嵌め合い部分を伝って長手方向（螺旋方向）に移動することにより前記継ぎ目や、先設置の帯状体５１の巻き終わり側および後設置の帯状体５１の巻き始め側に到達することがある。
【００４９】
この継ぎ目や、先設置の帯状体５１の巻き終わり側および後設置の帯状体５１の巻き始め側には、前記したような保護シート（９）による密封処理を施しているものの、当該継ぎ目、巻き始め側ならびに巻き終わり側に水が到達すると、当該水が前記継ぎ目、巻き始め側ならびに巻き終わり側から螺旋管５の外径側に漏洩するおそれがある。
【００５０】
そこで、この実施形態では、前記のように作成した螺旋管５の密封性をさらに高めるために、次のような対策を施すようにしているので、詳しく説明する。
【００５１】
まず、螺旋管５について、１つの帯状体５１で作成される場合について説明する。この場合には、例えば図１０に示しているように、帯状体５１の巻き始め側（先端側）と巻き終わり側（後端側）とにおいて雄型リブ５２と雌型リブ５３との嵌め合い部分に、水の堰き止め部１０を設けるようにしている。
【００５２】
図１０に示す例では、堰き止め部１０が、前記巻き始め側（図中の黒丸参考）と前記巻き終わり側（図中の黒丸参考）とに１ヶ所ずつ合計２ヶ所に設けられている。
【００５３】
この堰き止め部１０は、仮に前記嵌め合い部分に水が浸入したときに、当該水が前記嵌め合い部分の長手方向（螺旋方向）に沿って移動して、前記巻き始め側と前記巻き終わり側とに到達することを防止するものである。言い換えると、堰き止め部１０は、水の移動経路となりうる前記嵌め合い部分の長手方向一端側（巻き始め側）の開放端と長手方向他端側（巻き終わり側）の開放端とを塞ぐものである。
【００５４】
具体的に、前記堰き止め部１０を詳しく説明する。この堰き止め部１０は、雄型リブ５２と雌型リブ５３との嵌め合い部分を含む領域（図１１の二点鎖線参照）に帯状体５１の厚み方向に貫通する孔１１を設け、この孔１１にシール材１２を充填することにより、得られる。この孔１１は、雄型リブ５２と雌型リブ５３との両方に跨って設けられることになる。
【００５５】
シール材１２としては、耐湿潤性、防水性に優れかつ充填作業がしやすいという性質を有するものを選定することが好ましく、例えば２液パテ状の常温硬化型あるいは熱硬化型のエポキシ樹脂系接着剤を好適に用いることができる。前記充填作業がしやすいとは、例えば液だれしない程度に粘性が高いこと、充填前にこね易いこと、充填時に孔１１に詰め込みやすいことなどが挙げられる。
【００５６】
そして、孔１１の直径寸法については、例えば図１１の二点鎖線で示すように、雄型リブ５２と雌型リブ５３との嵌め合い部分の幅（帯状体５１の幅の方向と平行な方向での寸法）より大きく設定される。
【００５７】
この孔１１は、図示していないが、例えばドリルなどと呼ばれる穿孔用の切削工具を用いることにより、開けることができる。また、シール材１２は、孔１１から適宜はみ出るように付けてもよい。
【００５８】
そして、この堰き止め部１０の設置タイミングとしては、例えば螺旋管５を作成した後とすることができる。また、堰き止め部１０の設置場所としては、例えば図９の矢印１００で示すように、螺旋管５の前記巻き始め側と前記巻き終わり側との端縁ではなく、保護シート９の内端寄り（螺旋管５の内側の端縁寄り）に特定することが好ましい。
【００５９】
このような堰き止め部１０を設けている場合には、仮に螺旋管５の内部を流通する水が前記嵌め合い部分に浸入したとしても、この嵌め合い部分に浸入した水が螺旋管５の前記巻き始め側や前記巻き終わり側の手前で堰き止め部１０に堰き止められることになる。これにより、前記嵌め合い分に浸入した水が、前記巻き始め側や前記巻き終わり側から螺旋管５の外径側に漏洩することを防止できるようになる。
【００６０】
ところで、螺旋管５について、２つの帯状体５１（図１２のみ５１Ａ，５１Ｂとして記載）を長手方向で継ぎ足すことにより作成される場合について説明する。
【００６１】
この場合には、例えば図１２に示しているように、先設置の帯状体５１Ａの巻き始め側（先端側）と後設置の帯状体５１Ｂの巻き終わり側（後端側）とにおいて雄型リブ５２と雌型リブ５３との嵌め合い部分に、前記同様の堰き止め部１０を設けるようにしているとともに、先設置の帯状体５１Ａの巻き終わり側（継ぎ目側）と後設置の帯状体５１Ｂの巻き始め側（継ぎ目側）とにおいて雄型リブ５２と雌型リブ５３との嵌め合い部分に、前記同様の堰き止め部１０を設けるようにしている。
【００６２】
図１２に示す例では、前記端部の堰き止め部１０は、先設置の帯状体５１Ａの巻き始め側（先端側、図中の黒丸参考）と後設置の帯状体５１Ｂの巻き終わり側（後端側、図中の黒丸参考）に１ヶ所ずつ合計２ヶ所に設けられている。
【００６３】
また、前記継ぎ目寄りの堰き止め部１０は、先設置の帯状体５１Ａの巻き終わり側（継ぎ目側、図中の黒丸参考）と後設置の帯状体５１Ｂの巻き始め側（継ぎ目側、図中の黒丸参考）とに２ヶ所ずつ合計４ヶ所に設けられている。
【００６４】
このような堰き止め部１０を設けている場合、仮に螺旋管５の内部を流通する水が前記嵌め合い部分に浸入したとしても、この水が、先設置の帯状体５１Ａの巻き始め側（先端側）と後設置の帯状体５１Ｂの巻き終わり側（後端側）との手前の堰き止め部１０で堰き止められることになるとともに、先設置の帯状体５１Ａの巻き終わり側（継ぎ目側）と後設置の帯状体５１Ｂの巻き始め側（継ぎ目側）との手前の堰き止め部１０で堰き止められることになる。これにより、前記嵌め合い部分に浸入した水が、螺旋管５の端部や継ぎ目から螺旋管５の外径側に漏洩することを防止できるようになる。
【００６５】
以上説明したように本発明を適用した実施形態で既設管２を更生すれば、仮に螺旋管５において帯状体５１の雄型リブ５２と雌型リブ５３との嵌め合い部分に螺旋管５の内部を流通する水が浸入したとしても、この水が前記嵌め合い部分を伝って螺旋管５の外径側に漏洩することを防止できるようになる。
【００６６】
その結果、この実施形態での更生方法によれば、既設管２の更生箇所の密封性（水密性）を可及的に向上することが可能になり、信頼性の向上に貢献できるようになる。
【００６７】
なお、本発明は、上記実施形態のみに限定されるものではなく、特許請求の範囲内および当該範囲と均等の範囲内で適宜に変更することが可能である。
【００６８】
（１）上記実施形態では、製管同時裏込め方式のＳＰＲ方法による既設管２の更生方法を例に挙げているが、本発明はこれに限定されるものではなく、例えば帯状体を巻きつけて螺旋管５を作成した後で支保工などを用いて裏込め材７を注入する形態とすることも可能である。この場合であっても、堰き止め部１０を設置する作業については上記実施形態と同様とすることができる。
【００６９】
（２）上記実施形態では、螺旋管５を単一の帯状体５１で作成する場合と２つの帯状体５１Ａ，５１Ｂを継ぎ足して作成する場合とを例に挙げているが、本発明はこれに限定されるものではなく、継ぎ足す帯状体の数を任意とすることが可能である。その場合には、継ぎ目毎に堰き止め部１０を設置する必要がある。
【産業上の利用可能性】
【００７０】
本発明は、老朽化した下水道管、上水道管、農業用水管、ガス管などの既設管の内面に長尺な帯状体を螺旋状に巻きつけつつ、その隣接部分を結合することにより螺旋管を作成するとともに、この螺旋管と既設管との間に裏込め材を注入して既設管を更生する方法として好適に利用することができる。
【符号の説明】
【００７１】
２      既設管
５      螺旋管
７      裏込め材
１０      堰き止め部
１１      孔
１２      シール材
５１      帯状体
５２      雄型リブ
５２ａ    雄型リブの幅広部
５３      雌型リブ
５３ａ    雌型リブの溝状部
【図１】
2014015946.tif 000003
【図２】
2014015946.tif 000004
【図３】
2014015946.tif 000005
【図４】
2014015946.tif 000006
【図５】
2014015946.tif 000007
【図６】
2014015946.tif 000008
【図７】
2014015946.tif 000009
【図８】
2014015946.tif 000010
【図９】
2014015946.tif 000011
【図１０】
2014015946.tif 000012
【図１１】
2014015946.tif 000013
【図１２】
2014015946.tif 000014